(57)【特許請求の範囲】
【請求項１】
下側両端に長手方向全長に延びる二つの突起３５′及び３５′並びに客席側の突起３５′の内側下方に垂下して互いに並行に延びる二条の壁部材３５を有する底部と、前記底部両端に立設されている二つの外側側部と、中央部に長手方向一端から他端に連続して前記底部に立設され、互いに対向する二つの内側壁部３６及び３６とを備え、外側側部と内側壁部の両頂部間を連続する天井部には内側に窪み部が形成されて、両端部に内側ガイドレール６及び外側ガイドレール７が形成されており、内側壁部３６の頂部には互いに内側に庇状に対向して突出る上側棚板部３８及び３８が形成され、内側壁部３６の上側棚板部３８及び３８の下方において、互いに内側に対向して突出る下側棚板部３９及び３９が形成されており、上側棚板部３８及び３８の内側端部は、共に、クレセントトップチェーンコンベヤの支持レールの配置部であり、下側棚板部３９及び３９の内側端部は、共に、クレセントトップチェーンコンベヤのチェーンローラガイド配設部であり、底部、外側側部、内側壁部及び天井部は、継ぎ目無しで一体に形成されていることを特徴とする、飲食カウンター用のトップチェーンコンベヤ支持台部ユニット。
【発明の詳細な説明】
【０００１】
【発明の属する技術分野】
本発明は、例えば、無端のクレセント形のコンベヤプレートを備えるトップチェーンコンベヤを装備し、外側に飲食用のカウンターテーブルを装備する飲食カウンターの組立て用ユニット及び該ユニットにより組み立てられた飲食カウンターに関し、特に、飲食物搬送用のクレセント形のフラットトップチェーンコンベヤを囲み、客席側にカウンターテーブルをを備え、飲食客がトップチェーンコンベヤにより搬送されてくる飲食物の中から、好みの飲食物を取出し飲食できる飲食カウンターの組立て用ユニット及び該ユニットにより組立てられた組立て飲食カウンターに関する。
【０００２】
【従来の技術】
飲食物移送用コンベヤを備えた飲食カウンターは、飲食物をコンベヤにより例えば、循環移送し、一方、例えば、飲食カウンターのカウンターテーブルの周囲に座席を占めた飲食客は、飲食物移送用コンベヤによって送られて来る食べ物、例えば寿司、焼肉用生肉、野菜、果物等を取り出して、食するようになっているので、従来店員が行っていた飲食客に飲食物を運搬するなどのサービスを機械により行うことができ、飲食店での省力化を助けて、広汎に使用されている。
このような飲食カウンターは、例えば、支柱部材、横桟等の部品を溶接等により組立てて機台を形成し、この形成された機台の頂部上にクレセントチェーンコンベヤを配置し、側部にカウンターを取り付けて形成されている。
【０００３】
【発明が解決しようとする課題】
しかし、このような飲食カウンターにおいて、機台は、飲食カウンターの据え付け場所に応じて、また、注文主の要望する飲食カウンターについてのデザイン等に応じて寸法及び構造が異なるために、コンベヤ配置部構成部材、支柱部材、横桟化粧板等は、製作目標の飲食カウンターの形状規模に応じて、各種寸法に作られている。そのために、飲食カウンターは、各種寸法に製作された数多い各種部品を、その都度、例えば溶接するなどして組み立てて製作されている。
【０００４】
このように、飲食カウンターは、その据え付け場所に応じて、また、注文主の要望する飲食カウンターのデザイン等に応じて製作されている。したがって、飲食カウンターは、その大きさ及び形状が相違する度に、異なる部品が必要されるために、その製作の度毎に、異なる多くの部品を必要としている。
一方、製作工程数は、部品の数に応じて多くなるために、部品の数が多くなるほどに、多くの手間を要することとなり、その分多くの時間及び人手を要してに、経費が嵩んで、問題とされている。
【０００５】
しかも、飲食カウンターを大量生産により製造して、その経済効果を図るとしても、飲食カウンターは、据え付け場所に応じて、また、注文主の要望する飲食カウンターのデザイン等に応じて製作されるために、大量生産に適する部品の標準化が難しく、今まで実現されておらず、標準化する部品についても問題とされている。
本発明は、従来の飲食カウンターを製作する場合に、部品及び製作工程数に係る問題点を解消することを目的としている。
【０００６】
【課題を解決するための手段】
本発明は、標準化することが容易で、組立て工程数が少なく部品数の少ない飲食カウンター用機台ユニットを提供すると共に、該機台ユニットを組み合わせた飲食カウンター組立て機台を提供することを目的としている。
【０００７】
即ち、本発明は、下側両端に長手方向全長に延びる二つの突起３５′及び３５′並びに客席側の突起３５′の内側下方に垂下して互いに並行に延びる二条の壁部材３５を有する底部と、前記底部両端に立設されている二つの外側側部と、中央部に長手方向一端から他端に連続して前記底部に立設され、互いに対向する二つの内側壁部３６及び３６とを備え、外側側部と内側壁部の両頂部間を連続する天井部には内側に窪み部が形成されて、両端部に内側ガイドレール６及び外側ガイドレール７が形成されており、内側壁部３６の頂部には互いに内側に庇状に対向して突出る上側棚板部３８及び３８が形成され、内側壁部３６の上側棚板部３８及び３８の下方において、互いに内側に対向して突出る下側棚板部３９及び３９が形成されており、上側棚板部３８及び３８の内側端部は、共に、クレセントトップチェーンコンベヤの支持レールの配置部であり、下側棚板部３９及び３９の内側端部は、共に、クレセントトップチェーンコンベヤのチェーンローラガイド配設部であり、底部、外側側部、内側壁部及び天井部は、継ぎ目無しで一体に形成されていることを特徴とする、飲食カウンター用のトップチェーンコンベヤ支持台部ユニットにある。
【０００８】
【発明の実施の形態】
本発明において、飲食カウンターは、複数の飲食カウンターユニットを連結して形成されている。飲食カウンターユニットは、さらにトップチェーンコンベヤ支持台部ユニットを、機台部ユニットに連結して形成される。
本発明において、トップチェーンコンベヤ支持台部ユニットは、飲食物搬送用のクレセント形のフラットトップチェーンコンベヤ、該コンベヤのトッププレートを支持するトッププレート支持レール及び該コンベヤの両側に形成される搬送用ガイドレール部を備えて形成される。
【０００９】
本発明において、トップチェーンコンベヤ支持台部ユニットは、一体成形が容易な形状に形成される。例えば、トップチェーンコンベヤ支持台部ユニットは、中央で分離されている両側に形成されて長手方向に延びて形成される天井部、同じく長手方向に延びて形成される底部、並びに一方の天井部の外側縁部と底部を接続する一方の側部及び他方の天井部の外側縁部と底部を接続する他方の側の側部を有しており、さらに、前記一方の天井部の内側縁部と底部を接続する一方の側の壁部材及び他方の天井部の内側縁部と底部を接続する他方の側の壁部材には、夫々、頂部及び該頂部より低い壁部材の部分に内側に突出る棚状部が形成されて形成されている。このように、本発明におけるトップチェーンコンベヤ支持台部ユニットは、全体の断面形状が長手方向に一様に形成されるので、素材を押出し成形、引き抜き成形等の成形加工することにより、一体に形成することができる。本発明において、トップチェーンコンベヤ支持台部ユニットは、複数個接続して、エンドレスに、即ち無端状に形成される。
【００１０】
本発明において、機台部ユニットは、前記トップチェーンコンベヤ支持台部ユニットの下方に位置して設けられて、該トップチェーンコンベヤ支持台部ユニットを支え、客席用のカウンターテーブルを装備して形成することができる。即ち、機台部ユニットは、長手方向に少なくとも一列に設けられている基台部、該基台部に夫々立設されている複数の支柱部材、それら複数の支柱部材の頭部に取付けられて、長手方向に延びる梁部材、長手方向の両端部の支柱部材に設けられている連結部、及び少なくとも長手方向の両端部の支柱部材の内側に向けて設けられているトップチェーンコンベヤ支持台部ユニットの支持用枠体、並びに複数の支柱部材の中の一部の支柱部材の外側に形成されているカウンターテーブル支持部を備えて形成される。本発明において、機台部ユニットは、複数個接続して、エンドレスに、即ち無端に形成される。
【００１１】
本発明において、トップチェーンコンベヤ支持台部ユニットは、従来の飲食カウンターと同様に、耐食加工された又は耐食性を有する金属材料又はプラスチック材料により形成でき、搬送用ガイドレール部並びにトップチェーンコンベヤの案内部及び支持部等を備えて、好ましくは一体に形成される。この場合、トップチェーンコンベヤ支持台部ユニットは、上面中央部に、トップチェーンコンベヤのチェーンローラ部が通過できる間隙が形成されており、この間隙により天井部は二つに分かれて形成されている。その天井部双方の内側端部には、全長に亙ってトッププレート支持用用レールが設けられている。該支持台部ユニット相互は、端部を付き合わせて連結することができる。この場合に使用される連結板部材は、連結される二つのトップチェーンコンベヤ支持台部ユニットの隣り合う端部上面の適当な箇所に配置できるが、前記通路用間隙を形成する天井部の内側縁部に形成される両壁部の対向する内側面から対向する側に突き出る棚部を設けて、これに配置することができる。このように前記間隙の両壁部の内面に棚部を形成すると、該棚部をトップチェーンコンベヤ支持台部ユニットの連結板部材配置部用として、またトップチェーンコンベヤのガイドレール配置部用として兼用できるので好ましい。
【００１２】
本発明において、トップチェーンコンベヤ支持台部ユニットは、機台部ユニットの上面上に装着される。この場合、トップチェーンコンベヤ支持台部ユニットを補強すると共に、該支持台部ユニットの裏面が平坦面上に載せられるように、該裏面に、裏打ち板が取付けられる。
トップチェーンコンベヤの湾曲部におけるトップチェーンコンベヤ支持台部ユニットは、ローラチェーンの駆動用スプロケツト又はアイドラー用スプロケツトが設けられ、またローラチェーンの軌道に沿って湾曲する部分を独立させて形成する関係上、内側の間隙形成壁部を有しない形状に形成され、内側に覆い部が別個に設けられる。この場合、ローラチェーンの外側部分は、壁部の棚部に支持されローラチェーンの内側はスプロケツトにより支持されて、湾曲する軌道に沿って移動する。このように、スプロケットの作動領域を有する湾曲部トップチェーンコンベヤ支持台部ユニットは、直線部のトップチェーンコンベヤ支持台部ユニットと構造を相違させて形成される。
【００１３】
本発明において、トップチェーンコンベヤ支持台部ユニットを支持する機台部ユニットは、トップチェーンコンベヤ支持台部ユニットと長さを違えて形成することができるが、トップチェーンコンベヤ支持台部ユニットと長さを同じく形成すると、組み立てるときに、上部のトップチェーンコンベヤ支持台部ユニットと機台部ユニットの長さの差が小さくできるので、出っ張りを少なくでき、作業が容易となるので好ましい。しかし湾曲部をトップチェーンコンベヤ路に形成するときは、トップチェーンコンベヤ支持台部ユニットと機台部ユニットの構造が違うところから、機台部ユニットは、トップチェーンコンベヤ支持台部ユニットと長さを違えて形成すること湾曲部を形成することが容易となるので好ましい。
【００１４】
トップチェーンコンベヤ支持台部ユニットは、複数個接続して無端状、即ちエンドレスに形成される。機台部ユニットは、無端又は一部が開いている、例えば、コの字形形状等に形成でき、その外側部にカウンター取付け部が設けられる。このように機台部ユニットが無端形状又は一端が開いた形状に形成される関係上、複数の支柱部材は、二列又は一列に並んで立設させることができる。複数の支柱部材を一列に並んで立設させると、部品数が少なくできるので好ましく、さらに外側に一列に設けると部品数が更に少なくできるので好ましい。
【００１５】
本発明において、機台部ユニットの複数の支柱部材は、機台部ユニットの平面形状に応じて配列され、この支柱部材は、機台部ユニットの平面形状に合わせて配置された基台の上に立設される。基台は、管材、例えば角鋼管を使用するのが好ましい。しかし山形鋼、Ｉ形鋼、Ｈ形鋼又は溝形鋼の形鋼等の形材を使用することができる。
基台は、機台部ユニットを形成する支柱部材を直接安定させることができるように、梁部材と共に設けられ、基台は脚部により支持されて設けられる。
本発明において、機台部ユニットの少なくとも両端部には支柱部材が設けられる。支柱部材を両端部間に設ける場合には、支柱部材に連結部が形成できるように内側に突き出る板状部分を有する材料、例えば、山形鋼、Ｉ形鋼、Ｈ形鋼又は溝形鋼の形鋼等の形材或いは角鋼管等の管材を使用することができる。
【００１６】
支柱部材を複数設けることができるが、この場合には、両端の支柱部材は、機台部ユニットの接続が容易なように、等辺山形鋼又は不等辺山形鋼等の山形鋼又は溝形鋼を使用することが好ましいが、山形鋼を使用するのが、さらに好ましい。また接続機能を必要とする両端の支柱部材の間に位置して使用される支柱部材には、鋼管を使用することができるが、角形鋼管を使用するのが、強度を増し、枠体の取付けが容易となる点で好ましい。
【００１７】
支柱部材は、その端部外側に平板部がくるように立設され、該平板部には、例えばボルト孔等が設けられている連結部が形成される。二つの機台を接続する場合には、夫々の機台部ユニットの端部の支柱部材の平板部を衝き合わせて、それら衝き合わせられた平板部の夫々に、例えばネジ孔等の連結部を設け、この連結部のネジ孔に連結具、例えば、ネジを通して接続することができる。
【００１８】
本発明において、支柱部材の上端部間には、梁部材が架設される。梁部材には、管材、例えば角鋼管を使用するのが好ましい。しかし山形鋼、Ｉ形鋼、Ｈ形鋼又は溝形鋼の形鋼等の形材を使用することができる。梁部材は、コンベヤ支持台の一部を直接安定して支えることができるように、平板部を上に位置させて設けられる。
本発明において、支柱部材は両端部のみでなく、両端部間の適宜の箇所に設けることができ、梁部材はこれら支柱間を補強するものである。
【００１９】
本発明において、トップチェーンコンベヤ支持台部ユットを機台部ユットに、安定して取り付けるために、機台部ユットには枠部材が取り付けられる。枠部材は、例えば、その上端取付け部が、支柱部材の内側上端部に固定され、その下端取付け部が支柱部材の内側部に固定される。トップチェーンコンベヤ支持台部ユットを、機台部ユットに取り付けるときには、トップチェーンコンベヤ支持台部ユットは、裏に、板を当てられて補強されて、例えば枠部材に固定されるのが好ましい。
【００２０】
【作用】
本発明において、飲食カウンターは、複数の飲食カウンターユニットは、夫々、上部にトップチェーンコンベヤを支持する支持部を有するトップチェーンコンベヤ支持台部ユニットと、該トップチェーンコンベヤ支持台部ユニットを支持する複数の支柱部材を有すると共に、該複数の支柱部材の少なくとも一部の支柱部材にカウンターテーブルを支持するカウンターテーブル支持部を有し、さらに長手方向両端部の支柱部材に連結部を有する機台部ユニットを備えて形成されており、この複数の飲食カウンターユニットの夫々は、隣り合う連結部を取外し可能に連結して、飲食カウンターを形成しているので、各ユニットの標準化が容易となって、トップチェーンコンベヤ支持台部ユニットと機台部ユニットの素材を違えることができ、しかもユニツトの大量生産を容易にすることができる。
【００２１】
本発明は、成形されて一体に形成された、長手方向端部及び底部に連結部を有するトップチェーンコンベヤ支持台部ユニットを、長手方向端部及び頂部に連結部を有する機台部ユニット上に載せて、前記トップチェーンコンベヤ支持台部ユニットの底部の連結部と前記機台部ユニットの頂部の連結部を合わせて連結具により取外し可能に取付けることにより、長手方向端部に接続部を飲食カウンターユニットを製造し、このように製造された複数の飲食カウンターユニットを並べ、夫々のトップチェーンコンベヤ支持台部ユニットの連結部を隣り合うトップチェーンコンベヤ支持台部ユニットの連結部に、連結具により取外し可能に取付けると共に、夫々の機台部ユニットの連結部を隣り合う機台部ユニットの連結部に、連結具により取外し可能に取付けることにより、飲食カウンターを形成するので、例えば、トップチェーンコンベヤ支持台部ユニットについては成形により一体に製造でき、また機台部ユニットについては、管材で形成されている梁部材と角材又は管材で形成されている支持台部を溶接等により接合又は接着し、枠部材をこれらに接合又は接着して製造することができ、またこのように製造されたトップチェーンコンベヤ支持台部ユニットを機台部ユニットにネジ等により組み立て、飲食カウンターユニットを製造でき、さらにこのように製造された飲食カウンターユニットを連結部を介して相互に連結して飲食カウンターを製造することができる。
【００２２】
【実施例】
以下、添付図面を参照して、本発明の実施の態様について説明するが、本考案は、以下の説明及び例示によって何ら制限されるものではない。
図１は、本発明の一実施例の組立て飲食カウンターについて、給湯設備を中心に、その一部を切欠いて示す概略の部分正面断面図である。図２は、図１に示す実施例の組立て飲食カウンターについて、飲食カウンター本体及びカウンターテーブルを中心に、その一部を切欠いて示す概略の部分正面断面図である。図３は、図１及び図２に示す実施例における組立て飲食カウンターについて、飲食カウンター組立て用ユニットにおける前記機台部ユニットとトップチェーンコンベヤ支持台部ユニット間の接続構造を中心に示す概略の拡大正面断面図である。図４は、図１及び図２に示す実施例における組立て飲食カウンターについて、前記機台部ユニットの装飾板の取付け方を取付け枠を中心に、装飾板を除いて示す概略の側面図である。図５は、図３に示す実施例における組立て飲食カウンターについて、前記機台部ユニットの装飾板の取付け構造を中心に、一部切欠いて示す概略の平面図である。図６は、図１乃至３に示す実施例の組立て飲食カウンターにおけるトップチェーンコンベヤ支持台部ユニットについて、該ユニット相互の接続構造を中心に示す概略の部分平面図である。図７は、図１乃至３に示す飲食カウンター組立て用ユニットのトップチェーンコンベヤ支持台部ユニットと機台部ユニット間の接続構造について、図６の矢印で示す２点鎖線に沿って切欠いて示す概略の正面断面図である。図８は、トップチェーンコンベヤ支持台部ユニットについて、その正面構造を切欠いて示す概略の部分正面断面図である。
【００２３】
図９は、図１及び図２に示す実施例の組立て飲食カウンターについて、機台部ユニットにおける、給湯供給管の支持及び接続並びに機台部ユニット相互の接続を中心に、その一部を切欠いて示す概略の部分的側部背面図である。図１０は、図９に示す実施例の組立て飲食カウンターの機台部ユニットにおける、給湯供給管の支持及び接続、機台部の接続並びに枠部材の接続及び支持を中心に、その一部を切欠いて示す概略の平面図である。図１１は、図９及び図１０に示す実施例の組立て飲食カウンターの機台部ユニットの接続部における、給湯供給管の支持及び接続、機台部の接続並びに枠部材の接続及び支持を中心に、その一部を切欠いて示す概略の正面図である。図１２は、図１及び図２に示す実施例における組立て飲食カウンターに使用される飲食カウンター組立て用ユニットの直線部の機台部ユニットについて、その概略を、給湯供給管及び給湯供給管支持具等を省略して示す概略の平面図である。図１３は、図１２に示す実施例の直線部の機台部ユニットについて、その概略を、給湯供給管支持具等を省略して示す概略の正面図である。図１４は、図１２に示す実施例の直線部の機台部ユニットについて、その概略を、給湯供給管支持具等を省略して示す概略の正面図である。図１５は、図１及び図２に示す実施例における組立て飲食カウンターに使用される飲食カウンター組立て用ユニットについて、図１２乃至１４に示す実施例とは異なる実施例の直線部の機台部ユニットについてその概略を示す概略の平面図である。図１６は、図１５に示す実施例の直線部の機台部ユニットについて、その概略を示す概略の側面図である。
【００２４】
図１７は、図１及び図２に示す実施例における組立て飲食カウンターに使用される飲食カウンター組立て用ユニットについて、図１２乃至１６に示す実施例とは異なる実施例の直線部の機台部ユニットについてその概略を示す概略の平面図である。図１８は、図１７に示す実施例の直線部の機台部ユニットについて、その概略を示す概略の側面図である。図１９は、図１７に示す実施例の直線部の機台部ユニットについて、その概略を示す概略の正面図である。図２０は、図１及び図２に示す実施例におけるバイパス路を備える組立て飲食カウンター組立て用ユニットのバイパス路に接続する直線部の機台部ユニットについて、その概略を示す概略の平面図である。図２１は、図２０に示す実施例のバイパス路に接続する直線部の機台部ユニットについて、その概略を示す概略の側面図である。図２２は、図１及び図２に示す実施例の飲食カウンター組立て用ユニットの案内スプロケット装置が設けられている湾曲部におけるトップチェーンコンベヤ支持台部ユニットについて、その概略を示す概略の平面図である。図２３は、図２２に示す実施例の案内スプロケットを備える湾曲部におけるトップチェーンコンベヤ支持台部ユニットについて、その概略を示す概略の背面図である。図２４は、図２２に示す実施例の湾曲部におけるトップチェーンコンベヤ支持台部ユニットについて、矢印で示すＡ−Ａ間の一点鎖線に沿って切欠いてその断面の概略を示す概略の正面断面図である。図２５は、図１及び図２に示す実施例の飲食カウンターにおける湾曲部を備える飲食カウンター組立て用ユニットの機台部ユニットについて、その概略を示す概略の平面図である。図２６は、図２５の機台部ユニットについて、矢印で示すＢ−Ｂ間に沿って切欠いて、その概略を示す概略の部分背面断面図である。図２７は、図２５の矢印Ｃの位置における機台部ユニットについての概略の背面図である。図２８は、図２６の矢印で示すＤ−Ｄに沿って切欠いて、その概略を示す概略の部分正面断面図である。図２９は、図２５に示す実施例の湾曲部における駆動スプロケット装置について、その概略を示す概略の長手方向から示す概略の一部断面図である。図３０は、図２９に示す実施例の駆動スプロケット装置について、図２９に対し直角方向から示す概略の一部断面図である。
【００２５】
図３１は、図２５に示す実施例の湾曲部における案内スプロケット装置について、図２２のＡ−Ａ′線に沿って切欠いて、その概略を示す概略の一部断面図である。図３２は、図２５に示す実施例の湾曲部における案内スプロケット装置について、図２２のＡ−Ａ線方向から示す概略の一部切欠いた背面図である。図３３は、図１及び図２に示す実施例とは異なる一実施例の給湯供給管を備えている飲食カウンターについて、その一部を切欠いてその概略を示す概略の部分正面断面図である。図３４は、図１、図２及び図３３に示す実施例とは異なる一実施例の給湯供給管を備えていない飲食カウンターについて、その一部を切欠いてその概略を示す概略の部分正面断面図である。図３５は、図３４に示す実施例とは異なる給湯供給管を備えていない実施例の飲食カウンターのについて、その一部を切欠いてその概略を示す概略の部分正面断面図である。図３６は、図１、図２、図３３、図３４及び図３５に示す実施例とは異なる一実施例の飲食カウンターに使用される飲食カウンター組立て用ユニットのトップチェーンコンベヤ支持台部ユニットについて、その一部を切欠きその概略を示す概略の部分正面断面図である。図１乃至３６において、対応する箇所については、同一の符号が付されている。
【００２６】
図１乃至３に示す実施例において、飲食カウンターは、組立て飲食カウンターを組み合わせて形成されており、組立て飲食カウンター１ユニットは、クレセントトップチェーンコンベヤ支持台部ユニットユニットと機台部ユニットを組み合わせて形成されている。本例において、クレセントトップチェーンコンベヤ支持台部ユニットユニットは、一体に形成されたクレセントトップチェーンコンベヤ支持台部ユニット２により形成されている。クレセントトップチェーンコンベヤ支持台部ユニット２は連結用のネジ孔５１（図５参照）を有しており、組立て飲食カウンター１は、このクレセントトップチェーンコンベヤ支持台部ユニット２を同じく連結用のネジ孔５１を有する機台部ユニット３の上に、夫々のネジ孔４′を合わせてネジ４により固定して形成されている。
【００２７】
クレセントトップチェーンコンベヤ支持台部ユニット２には、従来の飲食カウンターと同様に、エンドレスのクレセントトップチェーンコンベヤ５が設けられ、該クレセントトップチェーンコンベヤ５の両側には、夫々、クレセントトップチェーンコンベヤ５に沿って飲食容器搬送用の内側ガイドレール６及び外側即ち客席側ガイドレール７が設けられている。クレセントトップチェーンコンベヤ支持台部ユニット２の連結端部には、ネジ孔８′が形成されており、前記接続端部の裏面には、裏当て板部材８が取付けられている。
クレセントトップチェーンコンベヤ支持台部ユニットが固定される機台部ユニット３において、角形の鋼管で形成されている支柱部材９は、脚部１０に支持されている基台部材１１に接合されて立設されている。鋼管支柱部材９には、その上端に梁部材１２が接合されており、またその内側には、枠部材１３が、その上部折曲げ端部１４及び下部折曲げ端部１５を鋼管支柱部材９に接合することにより、取付けられている。
【００２８】
枠部材１３の内側上部には、補強板１６が取付けられており、その下方には、ヒーター（図示されていない）を備える給湯タンク１７の給湯用強制循環ポンプ（図示されていない）から延びる給湯供給管１８が、支柱部材９の側部に管支持部材用ブラケット１９に支持されている管支持用Ｕボルト２０に保持されている。梁部材１２の一部には孔２１が設けられており、該孔２１には給湯供給管１８から延びる給湯供給枝管２２が挿通されており、給湯供給枝管２２は給湯カラン２３に接続している。給湯カラン２３は、給湯用押しボタン２４を備えて、上部装飾板２５から外方に突き出て設けられており、利用者は、ボタン２４を押して注ぎ口２６から流出するお湯を湯飲み茶碗（図示されていない）に受けるようになっている。
【００２９】
図４及び図５に示すように、山形鋼又は鋼管製の支柱部材９の外側のカウンターテーブル３１の下方には、嵌込み溝２７を左右に有する取付け枠２８が取付けられている。この取付け枠２８の嵌込み溝２７は、下部装飾板２９の折り曲げられている端部３０をその侭差し込むことができる形状に形成されている。また、基台部材１１の外側には、下部装飾板２９の折り曲げられている左右の端部３０をその侭差し込むことができる嵌込み溝３３が上側に形成されている取付け枠３２が取り付けられている。したがって、本例においては、下部装飾板２９の端部３０を取付け枠３２の嵌込み溝３３に差し込むことにより、下部装飾板２９を支柱部材９間及び基台部材１１に取り付けることができる。支柱部材９の外側には、カウンターテーブル３１が、カウンターテーブル支持具３１′を介して取外し可能に取付けられており、該カウンターテーブル支持具３１′は、ネジ３４′を介して支持部材９に取付けられている。
【００３０】
図３、図６、図７及び図８に示すように、クレセントトップチェーンコンベヤ支持台部ユニット２には、底部下側両端に夫々僅かに突き出る長手方向全長に延びる小さい枠状の突起３５′と、該突起３５′とは別に内側に長手方向全長に下方に垂下して互いに平行に延びる二条の壁部材３５とが形成されている。該二条の壁部材３５の外側の面には、上部装飾板２５が、その上端部がネジ又はリベット等の取外し可能の固定手段（図示されていない）によりにより固定されており、上部装飾板２５の下端部は、支柱部材９側に折曲げられている。この上部装飾板２５の下端部の折曲げられた部分２５′は、カウンターテーブル３１により抑えられており、このようにして、上部装飾板２５は、支柱部材９に対して固定されている。
【００３１】
本例においては、クレセントトップチェーンコンベヤ支持台部ユニット２は、内側に対向して形成される内側壁部３６間に窪み３７が形成されている。該内側壁部３６の上部は、庇状に内側に突出て上側の棚板部３８を形成しており、この上側の棚板部３８の下方に下側の棚板部３９が形成されている。本例において、連結部片４０及びチェーンローラガイド４１は、上側棚板部３８と下側棚板部３９間に配設される。
飲食カウンターの組み立て時に、クレセントトップチェーンコンベヤ支持台部ユニット２は相互に連結される。クレセントトップチェーンコンベヤ支持台部ユニット２の連結は、連結部片４０を連結される２個のクレセントトップチェーンコンベヤ支持台部ユニット２の接続部の上側棚板部３８及び下側棚板部３９間で架け渡し、この架け渡された連結部片４０を夫々のクレセントトップチェーンコンベヤ支持台部ユニット２の上側棚板部３８にネジ止めして行われる。
【００３２】
本例において、上側棚板部３８の内側上面には、長手方向に延びる窪んだ列が形成されており、該窪み内に、トッププレート４２の支持レール４３を接着剤により接着固定されている。本例において、クレセントトップチェーンコンベヤ支持台部ユニット２は、アルマイト等の表面処理された耐食性のアルミニウムにより一体に形成されている。しかし、更に種々分割して形成することができ、またアルマイトに代えて、例えばプラスチック被覆のアルミニウム等の金属、ステンレス等の他の耐蝕性金属などの適宜他の材料製とすることができる。
【００３３】
本例において、チェーンローラガイド４１は、クレセントトップチェーンコンベヤ支持台部ユニット２に対向して形成されている内側壁部３６の上側棚板部３８及び下側棚板部３９間に配設され、下側棚板部３９にネジ止めして固定される。チェーンローラガイド４１についても、連結部片４０と同様に上側棚板部３８に固定する場合には、下側棚板部３９を設けなくともよくなるが、連結部片４０及びチェーンローラガイド４１を固定する場合に、連結部片４０及びチェーンローラガイド４１を固定する作業を行うための、連結部片４０及びチェーンローラガイド４１を、所定の位置に配置する作業が容易となり、また、連結部片４０及びチェーンローラガイド４１を交換等により、取り外す場合にも、取り外された連結部片４０又はチェーンローラガイド４１が、下側棚板部３９に保持されて、交換等の取り替え作業が容易となり、さらにまた、内側壁部３６の強度を増加させることができるので、下側棚板部３９を設けておくのは好ましい。
【００３４】
図９、図１０及び図１１に示すように、二基の機台部ユニット３の接続は、夫々の隣り合う機台部ユニット３の両端の支柱部材９の内側に突出る平板部４４のネジ孔４５（図１４参照）を合わせ、この合わせられたネジ孔４５にネジ４６を挿通して、ナツト４７で止めて、連結することができる。したがって、本例においては、両端の支柱部材９は、山形鋼で形成されるのが好ましく、その他の支柱部材は角形鋼管部材で形成されるのが好ましい。本例においては、給湯供給管１８は、ベローズ形伸縮継手４８により接続され、角形鋼管で形成されている支柱部材９の側面に取付けられている山形鋼で形成された管支持ブラケット１９に取付けられているＵボルト２０に支持されている。本例において、機台部ユニット３の背面には背面装飾板４９が取付けられている。
【００３５】
また本例において、クレセントトップチェーンコンベヤ支持台部ユニット２の底部４９及び裏当て板部材８と、機台部ユニット３の枠部材１３の上部５０には、夫々ネジ孔５１が形成されている。クレセントトップチェーンコンベヤ支持台部ユニット２と機台部ユニット３を連結するときには、クレセントトップチェーンコンベヤ支持台部ユニット２及び裏当て板部材８と、機台部ユニット３の枠部材１３とを、夫々のネジ孔５１を合わせて配置し、このネジ孔５１にネジ４を挿通して連結する。
【００３６】
本例において、機台部ユニット３は、図１２、図１３及び図１４に示すように、基台部材１１の両端部に山形鋼で形成されている支柱部材９を立設し、上端部に梁部材１２を取り付けて形成することができる。また機台部ユニット３は、図１５及び図１６に示すように、基台部材１１の両端部に山形鋼で形成されている支柱部材９を立設し、その内側に、角形鋼管で形成されている支柱部材９を立設して、夫々の支柱部材９の上端部に梁部材１２を取り付けて形成することができる。また図１７、図１８及び図１９に示すように、３本の角形鋼管製の支柱部材９を設け、両端の角形鋼管製の支柱部材９に管支持部材用ブラケット１９を取り付けることができる。
【００３７】
さらに、図２０及び図２１に示す実施例においては、バイパスコンベヤ路は、従来の飲食カウンターと同様にクレセントトップチェーンコンベヤ５を接続するように、クレセントトップチェーンコンベヤ５間に設けられる。本例においては、このように、クレセントトップチェーンコンベヤ５間にバイパスコンベヤ路を形成する場合、バイパスコンベヤ路が形成される機台部ユニット３には、バイパスコンベヤ路を支持する支柱部材９′が、機台部ユニット３の支柱部材９の両側に形成される。バイパスコンベヤ路は、バイパスコンベヤ路用の支柱部材９′に設けられる枠部材１３′の側部５２に、バイパスコンベヤ路を接続する連結用のネジ孔５３が設けられている。
【００３８】
前記図１２乃至２１に示す実施例の何れの場合にも、機台部ユニット３は少くとも一基の脚部１０が設けられる。機台部ユニット３に設けられる脚部１０が一基の場合には、機台部ユニット３は、連結する機台部ユニット３の脚部１０とで一対の脚部を形成して支持される。
図２２乃至２４に示す実施例において、クレセントトップチェーンコンベヤ支持台部ユニット２の湾曲部５４は、クレセントトップチェーンコンベヤ５の方向転換箇所であり、コンベヤチェーン５５の駆動用のスプロケット５６又は案内用スプロケット５７が設けられている。
【００３９】
該湾曲部５４は、コンベヤチェーン５５の異なる二つの方向の直線部のクレセントトップチェーンコンベヤ支持台部ユニット２の連結部を連結する連結部であり、該湾曲部５４には、異なる方向の二つの直線部のクレセントトップチェーンコンベヤ支持台部ユニット２の長手方向端部に連結可能な両端部が形成される。そのようにするために、湾曲部のクレセントトップチェーンコンベヤ支持台部ユニット５８は、直線部のクレセントトップチェーンコンベヤ支持台部ユニット２とは異なる構造で、台形の平面形状に形成されている。
【００４０】
本例において、湾曲部５４のクレセントトップチェーンコンベヤ支持台部ユニット５８は、駆動用スプロケット５６又は案内用スプロケット５７を配置する空間を形成するために、直線部のクレセントトップチェーンコンベヤ支持台部ユニット２と相違して形成されており、外側の部分にのみ、上側棚板部５９及び下側棚板部６０を有する内側壁部６１が形成されている。
何れの湾曲部５４においても、湾曲部５４のクレセントトップチェーンコンベヤ支持台部ユニット５８は、両端部において、下側棚板部６０に折れ曲がった平面形状の連結部材４０′の一方の側を固定し、該連結部材４０′の他方の側を、直線部のクレセントトップチェーンコンベヤ支持台部ユニット２の下側棚板部３９に固定して、湾曲部５４のクレセントトップチェーンコンベヤ支持台部ユニット５８の両端部を、直線部のクレセントトップチェーンコンベヤ支持台部ユニット２と連結する。
【００４１】
何れの湾曲部５４においても、クレセントトップチェーンコンベヤ支持台部ユニット５８は、湾曲部５４の機台部ユニット６２に裏当て兼位置決め支持板部材６３，６３′を介して固定されている。本例において、裏当て兼位置決め支持板部材６３は、クレセントトップチェーンコンベヤ支持台部ユニット２及び５８にネジ４によりネジ止めされている。
図２５乃至２８において、機台部ユニット６２は、駆動用スプロケット５６を有する湾曲部５４と案内用スプロケット５７を有する湾曲部５４′を備えている。湾曲部５４は、比較的長い直線部機台部６６と、比較的短い直線部機台部６７間を連結する湾曲部機台部６４を備えており、また、湾曲部５４′は、比較的長い直線部機台部６６と、比較的短い直線部機台部６８間を連結する湾曲部機台部６５を備えている。
【００４２】
本例において、機台部ユニット６２の湾曲部機台部６４は、一方の端部に比較的長い直線部機台部６６が接合し、他方の端部に比較的短い直線部機台部６７が接合して備えられている、また同様に、湾曲部機台部６５は、一方の端部に比較的長い直線部機台部６６が接合し、他方の端部に比較的短い直線部機台部６７が接合して備えられている。
機台部ユニット６２の比較的長い直線部機台部６６には四本の支柱部材６９が設けられ、機台部ユニット６２の湾曲部機台部６４の中央部には支柱部材７０が設けられ、機台部ユニット６２の湾曲部機台部６５の中央部には支柱部材７１が設けられている。
【００４３】
機台部ユニット６２の前記比較的短い直線部機台部６７の端部には、二つの支柱部材７２及び７３が間隔を設けて設けられており、また、機台部ユニット６２の比較的短い直線部機台部６８の端部には二つの支柱部材７４及び７５が間隔を設けて設けられている。前記比較的長い直線部機台部６６の湾曲部５４側の端部の支柱部材６９と並んで内側に、補強支柱部材７６が設けられており、また、前記比較的長い直線部機台部６６の湾曲部５４′側の端部の支柱部材６９と並んで内側に、補強支柱部材７７が設けられている。前記比較的短い直線部機台部６７の支柱部材７２と並んで内側には補強支柱部材７８が設けられており、また前記比較的短い直線部機台部６８の支柱部材７４と並んで内側に補強支柱部材７９が設けられている。
【００４４】
前記支柱部材７６及び７７は、夫々、前記比較的長い直線状機台部６６の基台部材１１の内側側面に、一端を接合して垂直方向に延びる補強基台部材８０に立設されており、支柱部材７８は、前記比較的短い直線部機台部６７の基台部材１１の内側側面に接合して垂直方向に延びる補強基台部材８１に立設され、支柱部材７９は、前記比較的短い直線部機台部６８の基台部材１１の内側側面に接合して垂直方向に延びる基台部材８２に立設されている。補強基台部材８０、８１及び８２は夫々、一端が比較的長い直線部機台部６６の基台部材１１の内側側面に接合し、他端が補強基台部材８１又は８２の側面に接合している支持補強基台部材８３又は８３′に補強支持されている。本例において、支柱部材６９と７６の間、支柱部材６９と７７の間、支柱部材７２と７８の間及び支柱部材７４と７９の間には、梁部材１２の内側側面に接合して補強梁部材８４が設けられている。
【００４５】
図２９及び図３０に示すように、駆動スプロケット５６は、減速機８５の駆動軸８６に固定されている。本例において、減速機８５は、機台部ユニット６２の湾曲部５４の支柱部材７８、７６及び６９、梁部材１２並びに補強梁部材８４の内側側面に接合保持されている支持板部材８８に、取付け孔８９及び該取付け孔８９に通したボルト８９′により取り付けられており、減速機８５は、その駆動軸８６を、支持板部材８８の駆動軸用の孔８７を通して取り付けられている。減速機８５は、該減速機８５のプーリー９０と電動機９１のプーリー９２との間に架け渡されたベルト９３により伝動される。本例において、電動機９１は、支持枠部材９４の溝孔に通されているボルト９５により、支持枠部材９４に移動可能に取付けられている。
【００４６】
本例において、湾曲部５４におけるクレセントトップチェーンコンベヤ５のトッププレートの外側の支持レール４２は、クレセントトップチェーンコンベヤ支持台部ユニット５８の外側部分に設けられている。湾曲部５４及び５４′のクレセントトップチェーンコンベヤ支持台部ユニット５８は、直線部のクレセントトップチェーンコンベヤ支持台部ユニット５８と異なって、内側の支持レール４３が設けられていない。湾曲部５４における内側の支持レール４３は、例えば、補強支柱部材７６及び７８に取り付けられている覆い板部材９６に設けられる。
【００４７】
本例において、覆い板部材９６は、駆動スプロケット５６を駆動する減速機８５の駆動軸８６上を覆って設けられており、減速機８５を覆う部分を高く形成し、クレセントトップチェーンコンベヤ支持台部ユニット５８の外側に向く部分９７を一段低く形成して、支持レール４３の配置用としている。覆い板部材９６は、直線部のクレセントトップチェーンコンベヤ支持台部ユニット２の内側ガイドレール６の上にネジ止めされ、付き合う端部は、上側棚板部直線状の連結部片４０′により連結される。
【００４８】
本例において、図３１及び図３２に示すように、案内スプロケット５７を備える湾曲部５４′の支持板部材９８の下面には、クレセントトップチェーンコンベヤの張力を調整するテンション調整ノブ９９のネジ部１００を移動可能に支持するテンション調整ノブ支持部１０１が設けられている。テンション調整ノブ支持部１０１に支持されている、テンション調整ノブ９９のつまみ部１０２には、スライダー１０３の支持用ブラケット１０４が取り付けられている。本例において、スライダー支持用ブラケット１０４は鍵形に形成されており、取付け部から直角方向に曲折してスライダー水平支持部１０５が形成されている。
【００４９】
案内スプロケット５７を回転可能に支持する支持軸１０６は、案内スプロケット５７の下方に位置するスライダー１０３に設けられており、スライダー１０３は、スライダー支持用ブラケット１０４のスライダー水平支持部１０５に取り付けられている。
本例において、スライダー１０３が、水平方向に移動できるよう、スライダーガイド１０７が設けられている。スライダーガイド１０７は、スライダー１０３の両側に設けられており、夫々、スライダー１０３の端部を移動可能に遊嵌できるように、対向する側部に水平方向に窪む溝１０８が形成されている。
【００５０】
スライダー１０３は、テンションノブ９９を回して、テンションノブ支持部１０中でネジ部１００を回転させることにより、テンション調整ノブ支持部１０１に対して、スライダー１０３を移動させて、案内スプロケット５７の位置を変えて、クレセントトップチェーンコンベヤ５の張力を調整することができる。
本例において、覆い板部材９６は、駆動スプロケット５６の場合と同様に、支軸８４上を覆って設けられており、その部分を高く形成し、内側の部分を一段低く形成して支持レール４２の配置用としている。
【００５１】
本例は以上のように構成されているので、直線部の機台部ユニット３の枠部材１３のネジ孔に、クレセントトップチェーンコンベヤ支持台部ユニット２及び裏当て板部材８のネジ孔を合わせて、ネジ４により固定して、直線部機台部ユニット６２を形成する。また駆動用スプロケット５６を備える湾曲部５４には、機台部材３の枠部材１３のネジ孔と、湾曲部のクレセントトップチェーンコンベヤ支持台部ユニット５８及び裏当て板部材６３のネジ孔とを合わせてネジ４により固定して形成される。また、案内用スプロケット５７を備える湾曲部５４′には、湾曲部のクレセントトップチェーンコンベヤ支持台部ユニット５８及び裏当て板部材８のネジ孔とを合わせてネジ４により固定して形成される。
【００５２】
このように形成された直線部機台部６６及び６７の一端を駆動用スプロケットを備える湾曲部機台部６４に接合し、また直線部機台部６６の他の一端及び直線部機台部６８の一端を案内用スプロケットを備える湾曲部機台部６５の夫々対応する側の端部に接続し、直線部機台部ユニット６２を形成する。直線部機台部ユニット６２上に、複数のクレセントトップチェーンコンベヤ支持台部ユニット２を、夫々対応する箇所に、ネジ止めすることにより取り付けて、組立て飲食カウンターユニット１を形成する。
【００５３】
このように形成された組立て飲食カウンターユニットを複数組み合わせ、ネジ止めして、組立て飲食カウンターを形成する。
外側の装飾板は、各ユニットの形成時に、装飾板及びカウンターテーブルを取り付けてもよいが、各ユニットにより、無端状に飲食カウンターを組み上げ、組み上げられた飲食カウンターの外側に装飾板及びカウンターテーブルを固定して飲食カウンターを形成することができる。
【００５４】
湾曲部５４及び／又は５４′を有する機台部ユニット６２の場合、湾曲部機台部を介して、二つの直線部機台部を接合し、機台部ユニットが形成することができるので、機台部ユニットは１個とすることができる。しかし、クレセントトップチェーンコンベヤ支持台部ユニット２は、機台部と素材を変えることができ、例えば軽量とするために、クレセントトップチェーンコンベヤ支持台部ユニットについては、直線部と湾曲部をネジ止めにより連結できるので、組立て飲食カウンターユニットは、クレセントトップチェーンコンベヤ支持台部ユニットの個数が２以上であるのに対して、機台部ユニットの個数を１とすることができる。
【００５５】
しかし、直線部の組立て飲食カウンターユニットの場合は、機台部ユニットに対応して、クレセントトップチェーンコンベヤ支持台部ユニットを形成することができるので、機台部ユニットの個数が１に対して、クレセントトップチェーンコンベヤ支持台部ユニットの個数を１とすることができる。またこのことは直線部のみでなく、湾曲部の場合も同様に形成することができる。
このようにする場合は、各連結箇所は、ネジ止め等の取外し可能な取付け手段により連結されることとなる。
【００５６】
図３３に示す実施例は、図１及び図２の飲食カウンターの直線部のユニットと比較して、天井部及び／又は照明器具（何れも図示されていない）を支持する支柱部材１０９を取付けるためのブラケット１１０を取り付けたことを示す点でのみ相違する飲食カウンターの直線部のユニットの例であり。その他の点では同一である。
図３４に示す実施例は、図３３に示す実施例とは、給湯設備を備えていない点でのみ相違する飲食カウンターの直線部のユニットの例であり。その他の点では同一である。
【００５７】
図３５に示す実施例は、図３４に示す実施例と相違して、内側に支柱部材９′が設けられており、該支柱部材９′に関連して、梁部材１２′及び基台部材１１′を内側に設けられており、さらに外側及び内側支柱部材９間には、図１及び図２に示す実施例と異なる構造の補強枠部材１１１が設けられ、また外側及び内側基台部材１１及び１１′間を連結補強する補強基台部材１１２が設けられている飲食カウンター組立て用ユニットの例であり、その他の点では図３５に示す実施例と同一である。
図３６に示す実施例は、図１及び図２に示す実施例と比較して、壁部材３５の外側の壁部材を装飾板兼用として形成した点で相違する飲食カウンター組立て用ユニットの例であり、その他の点では同一である。
【００５８】
【発明の効果】
本発明において、飲食カウンターは、上部にトップチェーンコンベヤを支持する支持部を有するトップチェーンコンベヤ支持台部ユニットと、該トップチェーンコンベヤ支持台部ユニットユニットを支持する複数の支柱部材を有すると共に、該複数の支柱部材の少なくとも一部の支柱部材にカウンターテーブルを支持するカウンターテーブル支持部を有し、さらに長手方向両端部の支柱部材に連結部を有する機台部ユニットを備える飲食カウンター組立て用ユニットを、前記機台部の連結部を介して相互に取外し可能に連結して形成されるので、従来一体に形成されている飲食カウンターに比して、トップチェーンコンベヤ支持台部ユニットと機台部ユニットを異なる素材で製造することができ、用途に応じた素材を使用することができ、しかも、標準化が容易となり、飲食カウンターをユニツト化して、飲食カウンターの大量生産を可能にし、低廉な飲食カウンターを提供することができる。
【図面の簡単な説明】
【図１】本発明の一実施例の組立て飲食カウンターについて、給湯設備を中心に、その一部を切欠いて示す概略の部分正面断面図である。
【図２】図１に示す実施例の組立て飲食カウンターについて、飲食カウンター本体及びカウンターテーブルを中心に、その一部を切欠いて示す概略の部分正面断面図である。
【図３】図１及び図２に示す実施例における組立て飲食カウンターについて、飲食カウンター組立て用ユニットにおける前記機台部ユニットとトップチェーンコンベヤ支持台部ユニット間の接続構造を中心に示す概略の拡大正面断面図である。
【図４】図１及び図２に示す実施例における組立て飲食カウンターについて、前記機台部ユニットの装飾板の取付け方を取付け枠を中心に、装飾板を除いて示す概略の側面図である。
【図５】図３に示す実施例における組立て飲食カウンターについて、前記機台部ユニットの装飾板の取付け構造を中心に、一部切欠いて示す概略の平面図である。
【図６】図１乃至３に示す実施例の組立て飲食カウンターにおけるトップチェーンコンベヤ支持台部ユニットについて、該ユニット相互の接続構造を中心に示す概略の部分平面図である。
【図７】図１乃至３に示す飲食カウンター組立て用ユニットのトップチェーンコンベヤ支持台部ユニットと機台部ユニット間の接続構造について、図６の矢印で示す２点鎖線に沿って切欠いて示す概略の正面断面図である。
【図８】トップチェーンコンベヤ支持台部ユニットについて、その正面構造を切欠いて示す概略の部分正面断面図である。
【図９】図１及び図２に示す実施例の組立て飲食カウンターについて、機台部ユニットにおける、給湯供給管の支持及び接続並びに機台部ユニット相互の接続を中心に、その一部を切欠いて示す概略の部分的側部背面図である。
【図１０】図９に示す実施例の組立て飲食カウンターの機台部ユニットにおける、給湯供給管の支持及び接続、機台部の接続並びに枠部材の接続及び支持を中心に、その一部を切欠いて示す概略の平面図である。
【図１１】図９及び図１０に示す実施例の組立て飲食カウンターの機台部ユニットの接続部における、給湯供給管の支持及び接続、機台部の接続並びに枠部材の接続及び支持を中心に、その一部を切欠いて示す概略の正面図である。
【図１２】図１及び図２に示す実施例における組立て飲食カウンターに使用される飲食カウンター組立て用ユニットの直線部の機台部ユニットについて、その概略を、給湯供給管及び給湯供給管支持具等を省略して示す概略の平面図である。
【図１３】図１２に示す実施例の直線部の機台部ユニットについて、その概略を、給湯供給管支持具等を省略して示す概略の正面図である。
【図１４】図１２に示す実施例の直線部の機台部ユニットについて、その概略を、給湯供給管支持具等を省略して示す概略の正面図である。
【図１５】図１及び図２に示す実施例における組立て飲食カウンターに使用される飲食カウンター組立て用ユニットについて、図１２乃至１４に示す実施例とは異なる実施例の直線部の機台部ユニットについてその概略を示す概略の平面図である。
【図１６】図１５に示す実施例の直線部の機台部ユニットについて、その概略を示す概略の側面図である。
【図１７】図１及び図２に示す実施例における組立て飲食カウンターに使用される飲食カウンター組立て用ユニットについて、図１２乃至１６に示す実施例とは異なる実施例の直線部の機台部ユニットについてその概略を示す概略の平面図である。
【図１８】図１７に示す実施例の直線部の機台部ユニットについて、その概略を示す概略の側面図である。
【図１９】図１７に示す実施例の直線部の機台部ユニットについて、その概略を示す概略の正面図である。
【図２０】図１及び図２に示す実施例におけるバイパス路を備える組立て飲食カウンター組立て用ユニットのバイパス路に接続する直線部の機台部ユニットについて、その概略を示す概略の平面図である。
【図２１】図２０に示す実施例のバイパス路に接続する直線部の機台部ユニットについて、その概略を示す概略の側面図である。
【図２２】図１及び図２に示す実施例の飲食カウンター組立て用ユニットの案内スプロケット装置が設けられている湾曲部におけるトップチェーンコンベヤ支持台部ユニットについて、その概略を示す概略の平面図である。
【図２３】図２２に示す実施例の案内スプロケットを備える湾曲部におけるトップチェーンコンベヤ支持台部ユニットについて、その概略を示す概略の背面図である。
【図２４】図２２に示す実施例の湾曲部におけるトップチェーンコンベヤ支持台部ユニットについて、矢印で示すＡ−Ａ間の一点鎖線に沿って切欠いてその断面の概略を示す概略の正面断面図である。
【図２５】図１及び図２に示す実施例の飲食カウンターにおける湾曲部を備える飲食カウンター組立て用ユニットの機台部ユニットについて、その概略を示す概略の平面図である。
【図２６】図２５の機台部ユニットについて、矢印で示すＢ−Ｂ間に沿って切欠いて、その概略を示す概略の部分背面断面図である。
【図２７】図２５の矢印Ｃの位置における機台部ユニットについての概略の背面図である。
【図２８】図２６の矢印で示すＤ−Ｄに沿って切欠いて、その概略を示す概略の部分正面断面図である。
【図２９】図２５に示す実施例の湾曲部における駆動スプロケット装置について、その概略を示す概略の長手方向から示す概略の一部断面図である。
【図３０】図２９に示す実施例の駆動スプロケット装置について、図２９に対し直角方向から示す概略の一部断面図である。
【図３１】図２５に示す実施例の湾曲部における案内スプロケット装置について、図２２のＡ−Ａ′線に沿って切欠いて、その概略を示す概略の一部断面図である。
【図３２】図２５に示す実施例の湾曲部における案内スプロケット装置について、図２２のＡ−Ａ線方向から示す概略の一部切欠いた背面図である。
【図３３】図１及び図２に示す実施例とは異なる一実施例の給湯供給管を備えている飲食カウンターについて、その一部を切欠いてその概略を示す概略の部分正面断面図である。
【図３４】図１、図２及び図３３に示す実施例とは異なる一実施例の給湯供給管を備えていない飲食カウンターについて、その一部を切欠いてその概略を示す概略の部分正面断面図である。
【図３５】図３４に示す実施例とは異なる給湯供給管を備えていない実施例の飲食カウンターのについて、その一部を切欠いてその概略を示す概略の部分正面断面図である。
【図３６】図１、図２、図３３、図３４及び図３５に示す実施例とは異なる一実施例の飲食カウンターに使用される飲食カウンター組立て用ユニットのトップチェーンコンベヤ支持台部ユニットについて、その一部を切欠きその概略を示す概略の部分正面断面図である。
【符号の説明】
１  組立て飲食カウンター
２  クレセントトップチェーンコンベヤ支持台部ユニット
３  機台部ユニット
４、３４、３４′、４６  ネジ
５  クレセントトップチェーンコンベヤ
６  内側ガイドレール
７  外側ガイドレール
８  裏当て板部材
８′  ネジ孔
９、６９、７０、７１、７２、７３、７４、７５、１０９  支柱部材
９′  バイパスコンベヤ路用の支柱部材
１０  脚部
１１  基台部材
１２  梁部材
１３  枠部材
１４  上部折曲げ端部
１５  下部折曲げ端部
１６  補強板
１７  給湯タンク
１８  給湯供給管
１９  管支持用ブラケット
２０  管支持用Ｕボルト
２１、  孔
２２  給湯供給枝管
２３  給湯カラン
２４  給湯用押しボタン
２５  上部装飾板
２５′上部装飾板２５の折曲げられている端部
２６  注ぎ口
２７、３３  嵌込み溝
２８、３２  取付け枠
２９  下部装飾板
３０  下部装飾板２９の折曲げられている端部
３１  カウンターテーブル
３１′カウンターテーブル支持具
３５  壁部材
３５′突起
３６、６１  内側壁部材
３７  窪み
３８、５９  上側の棚板部
３９、６０  下側の棚板部
４０、４０′  連結部片
４１  チェーンローラガイド
４２  トッププレート
４３  内側の支持レール
４４  支柱部材９の内側に突出る平板部
４５、５１、５３  ネジ孔
４７  ナット
４８  ベローズ形伸縮継手
４９  クレセントトップチェーンコンベヤ支持台部ユニット２の底部
５０  枠部材１３の上部
５２  枠部材１３の側部
５４、５４′  湾曲部
５５  コンベヤチェーン
５６  駆動用スプロケット
５７  案内用スプロケット
５８  クレセントトップチェーンコンベヤ支持台部ユニット
６２  機台部ユニット
６３、６３′  支持板部材
６４、６５  湾曲部機台部
６６、６７、６８  直線部機台部
６９  直線部機台部
７７、７８、７９  補強支柱部材
８０、８１、８２、１１２  補強基台部材
８３、８３′  支持補強基台部材
８４  補強梁部材
８５  減速機
８６  駆動軸
８７  駆動軸用の孔
８８、９８  支持板部材
８９  減速機８５の取り付け孔
８９′、９５  ボルト
９０、９２  プーリー
９１  電動機
９３  ベルト
９４  支持枠部材
９６  覆い板部材
９７  クレセントチェーンコンベヤ支持枠部材の外側を向く部分
９９  テンション調整ノブ
１００  テンション調整ノブ９９のネジ部
１０１  テンション調整ノブ支持部
１０２  テンション調整ノブ９９のつまみ部
１０３  スライダー
１０４  スライダー１０３の支持用ブラケット
１０５  スライダー水平支持部
１０６  案内スプロケット５７の支持軸
１０７  スライダーガイド
１０８  溝
１１０  ブラケット
１１１  補強枠部材
１１２  補強基台部材
【図１】
0003580370.tif 000002
【図２】
0003580370.tif 000003
【図３】
0003580370.tif 000004
【図４】
0003580370.tif 000005
【図５】
0003580370.tif 000006
【図６】
0003580370.tif 000007
【図７】
0003580370.tif 000008
【図８】
0003580370.tif 000009
【図９】
0003580370.tif 000010
【図１０】
0003580370.tif 000011
【図１１】
0003580370.tif 000012
【図１２】
0003580370.tif 000013
【図１３】
0003580370.tif 000014
【図１４】
0003580370.tif 000015
【図１５】
0003580370.tif 000016
【図１６】
0003580370.tif 000017
【図１７】
0003580370.tif 000018
【図１８】
0003580370.tif 000019
【図１９】
0003580370.tif 000020
【図２０】
0003580370.tif 000021
【図２１】
0003580370.tif 000022
【図２２】
0003580370.tif 000023
【図２３】
0003580370.tif 000024
【図２４】
0003580370.tif 000025
【図２５】
0003580370.tif 000026
【図２６】
0003580370.tif 000027
【図２７】
0003580370.tif 000028
【図２８】
0003580370.tif 000029
【図２９】
0003580370.tif 000030
【図３０】
0003580370.tif 000031
【図３１】
0003580370.tif 000032
【図３２】
0003580370.tif 000033
【図３３】
0003580370.tif 000034
【図３４】
0003580370.tif 000035
【図３５】
0003580370.tif 000036
【図３６】
0003580370.tif 000037